(57)【要約】【課題】  構成が簡単で容易に製造できるとともに安価に得ることができ、また、設置作業も容易に行えるようにした太陽熱収集装置を得る。【解決手段】  断熱性筺体２の上面に太陽光透過性素材で形成した太陽光透過窓３を設け、この断熱性筺体２にはその内部の一方から他方に空気を流通させる空気入口４と空気出口５を設け、前記断熱性筺体２内には熱伝導率が高い可撓性を有する線状体或いは帯状体からなる吸熱部材７又は熱伝導率が高い粒状体からなる吸熱部材７を、空気の流通可能な空隙を有するように収容した。【選択図】  図２
2006010297.tif 000002
【特許請求の範囲】
【請求項１】
断熱性筺体の上面に太陽光透過性素材で形成された太陽光透過窓が設けられ、この断熱性筺体にはその内部の一方から他方に空気を流通させる空気入口と空気出口が設けられ、前記断熱性筺体内には熱伝導率が高い可撓性を有する線状体或いは帯状体からなる吸熱部材又は熱伝導率が高い粒状体からなる吸熱部材が、流体の流通可能な空隙を有して収容されていることを特徴とする太陽熱収集装置。
【請求項２】
前記断熱性筺体内に、前記空気入口側から前記空気出口側へ向けて仕切板で仕切られて複数の通路が並設され、各通路内に、前記熱伝導率が高い可撓性を有する線状体或いは帯状体からなる吸熱部材又は熱伝導率が高い粒状体からなる吸熱部材が、流体の流通可能な空隙を有して収容されており、前記断熱性筺体に設けられた空気入口から送り込まれた空気が前記各通路内を通って断熱性筺体に設けられた空気出口から流出するようになっていることを特徴とする請求項１に記載の太陽熱収集装置。
【請求項３】
前記断熱性筺体内に、太陽光透過性素材で形成された筒状体が、両端の開口部を前記空気入口側と空気出口側に開口するようにして複数並設され、各筒状体内に、前記熱伝導率が高い可撓性を有する線状体或いは帯状体からなる吸熱部材又は熱伝導率が高い粒状体からなる吸熱部材が、流体の流通可能な空隙を有して収容されており、前記断熱性筺体に設けられた空気入口から送り込まれた空気が前記各筒状体内を通って断熱性筺体に設けられた空気出口から流出するようになっていることを特徴とする請求項１に記載の太陽熱収集装置。
【請求項４】
前記熱伝導率の高い可撓性を有する線状体或いは帯状体からなる吸熱部材は金属削り屑で構成されていることを特徴とする請求項１，２又は３に記載の太陽熱収集装置。
【請求項５】
前記断熱性筺体の内面には、太陽光を反射する光反射層が設けられていることを特徴とする請求項１，２，３又は４に記載の太陽熱収集装置。
【発明の詳細な説明】
【技術分野】
【０００１】
本発明は、太陽熱を収集する太陽熱収集装置に関するものである。
【背景技術】
【０００２】
従来から太陽熱を収集し、熱源として利用に供する太陽熱収集装置が広く使用されている。かかる太陽熱収集装置として、例えば、筺体の内部を真空にして、この筺体内に選択吸収膜が形成された吸熱板が配置され、更に、熱媒体を循環させる金属製パイプが配置され、前記吸熱板で吸熱した太陽熱を前記金属パイプ内を循環する熱媒体により外部に取り出すようにした太陽熱収集装置が知られている（例えば、特許文献１参照。）。
【特許文献１】特開平１１−１４１６２号公報
【発明の開示】
【発明が解決しようとする課題】
【０００３】
しかしながら、上記の如き従来の太陽熱収集装置は、その構成が複雑であり、製造が面倒となっており、その分コスト高となる問題点があった。また、太陽熱収集装置は太陽熱を受けやすい場所に設置されるが、その設置作業も面倒な作業となっている。
【０００４】
本発明の目的は、構成が簡単で容易に製造できるとともに安価に得ることができ、また、設置作業も容易に行えるようにした太陽熱収集装置を提供することにある。
【課題を解決するための手段】
【０００５】
上記の目的を達成する本発明の構成を説明をすると、次の通りである。  
請求項１に記載の太陽熱収集装置は、断熱性筺体の上面に太陽光透過性素材で形成された太陽光透過窓が設けられ、この断熱性筺体にはその内部の一方から他方に空気を流通させる空気入口と空気出口が設けられ、前記断熱性筺体内には熱伝導率が高い可撓性を有する線状体或いは帯状体からなる吸熱部材又は熱伝導率が高い粒状体からなる吸熱部材が、流体の流通可能な空隙を有して収容されていることを特徴とする。
【０００６】
かかる構成から、前記断熱性筺体内に収容された吸熱部材が、熱伝導率が高い可撓性を有する線状体或いは帯状体又は熱伝導率が高い粒状体からなるので、熱伝導が早く、太陽光透過窓を透過した太陽光による太陽熱が短時間で全体に伝導され、そして、その表面積が大きいので、前記太陽熱が極めて効率よく吸収され蓄熱される。そして、断熱性筺体に設けられている空気入口から断熱性筺体に空気を送り込むと、送り込まれた空気と前記太陽熱を極めて効率よく吸収し蓄熱した吸熱部材が熱交換し、高温となった空気が断熱性筺体に設けられている空気出口から外部に送り出される。この送り込まれた空気と前記太陽熱を吸収し蓄熱した吸熱部材との熱交換にあっては、前記のように吸熱部材の表面積が大きいので、吸熱部材の空隙を流通空気と極めて効率よく熱交換する。
【０００７】
また、製造にあっては、前記吸熱部材は熱伝導率が高い可撓性を有する線状体或いは帯状体又は熱伝導率が高い粒状体となっているので、該吸熱部材を単に断熱性筺体内に詰めるだけなので、製造が容易であり安価に得ることができ、また設置作業も容易に行うことができる。
【０００８】
請求項２に記載の太陽熱収集装置は、請求項１に記載の前記断熱性筺体内に、前記空気入口側から前記空気出口側へ向けて仕切板で仕切られて複数の通路が並設され、各通路内に、前記熱伝導率が高い可撓性を有する線状体或いは帯状体からなる吸熱部材又は熱伝導率が高い粒状体からなる吸熱部材が、流体の流通可能な空隙を有して収容されており、前記断熱性筺体に設けられた空気入口から送り込まれた空気が前記各通路内を通って断熱性筺体に設けられた空気出口から流出するようになっていることを特徴とする。
【０００９】
かかる構成から、前記通路内に収容された吸熱部材に、太陽光透過窓を透過した太陽光による太陽熱が吸収され蓄熱され、そして、断熱性筺体に設けられている空気入口から断熱性筺体に空気を送り込むと、送り込まれた空気は前記複数の通路内に入り、該各通路内の隅々にまで流れて各通路内に収容され前記太陽熱を吸収し蓄熱した吸熱部材と熱交換し、高温となって空気出口から外部に送り出される。従って、前記断熱性筺体が大きくても、断熱性筺体内が仕切板で仕切られて断熱性筺体内に複数の通路が並設されていると、断熱性筺体に送り込まれた空気が断熱性筺体内の吸熱部材と万遍なく接触して熱交換することになり、効率よく熱交換することができる。
【００１０】
請求項３に記載の太陽熱収集装置は、請求項１に記載の前記断熱性筺体内に、太陽光透過性素材で形成された筒状体が、両端の開口部を前記空気入口側と空気出口側に開口するようにして複数並設され、各筒状体内に、前記熱伝導率が高い可撓性を有する線状体或いは帯状体からなる吸熱部材又は熱伝導率が高い粒状体からなる吸熱部材が、流体の流通可能な空隙を有して収容されており、前記断熱性筺体に設けられた空気入口から送り込まれた空気が前記各筒状体内を通って断熱性筺体に設けられた空気出口から流出するようになっていることを特徴とする。
【００１１】
かかる構成から、前記筒状体内に収容された吸熱部材に、太陽光透過窓を透過した太陽光による太陽熱が吸収され蓄熱され、そして、断熱性筺体に設けられている空気入口から断熱性筺体に空気を送り込むと、送り込まれた空気は前記複数の筒状体内に入り、該各筒状体内の隅々にまで流れて各筒状体内に収容され前記太陽熱を吸収し蓄熱した吸熱部材と熱交換し、高温となって空気出口から外部に送り出される。従って、前記断熱性筺体が大きくても、前記断熱性筺体内に、太陽光透過性素材で形成され吸熱部材を収容した複数の筒状体が並設されていると、断熱性筺体に送り込まれた空気が断熱性筺体内の吸熱部材と万遍なく接触して熱交換することになり、効率よく熱交換することができる。
【００１２】
請求項４に記載の太陽熱収集装置は、請求項１，２又は３に記載の前記熱伝導率の高い可撓性を有する線状体或いは帯状体からなる吸熱部材は金属削り屑で構成されていることを特徴とする。
【００１３】
かかる構成から、熱伝導率の高い線状体或いは帯状体を安価に入手することができるので、コストダウンをはかることができ、また、廃物利用といった面からも有用である。
【００１４】
請求項５に記載の太陽熱収集装置は、請求項１，２，３又は４に記載の前記断熱性筺体の内面には、太陽光を反射する光反射層が設けられていることを特徴とする。
【００１５】
かかる構成から、太陽光透過窓を透過して断熱性筺体に入射して吸熱部材の空隙を抜けた太陽光を断熱性筺体の内面に設けられた光反射層で反射させ、反射した太陽光を吸熱部材に投射させることができ、これにより太陽光による太陽熱を吸熱部材に極めて効率よく吸収させ蓄熱させることができる。
【発明の効果】
【００１６】
以上のように、請求項１に記載された発明に係る太陽熱収集装置によれば、断熱性筺体内に収容された吸熱部材は、熱伝導率が高い可撓性を有する線状体或いは帯状体又は熱伝導率が高い粒状体からなるので、熱伝導が早く、太陽光透過窓を透過した太陽光による太陽熱が短時間で全体に伝導され、そして、その表面積が大きいので、前記太陽熱を極めて効率よく吸収し蓄熱することができる。そして、断熱性筺体に設けられている空気入口から断熱性筺体に空気を送り込むことにより、この空気と前記太陽熱を吸収し蓄熱した吸熱部材が熱交換し、高温となった空気を断熱性筺体に設けられている空気出口から外部に取り出すことができる。
【００１７】
また、製造にあっては、前記吸熱部材は熱伝導率が高い可撓性を有する線状体或いは帯状体又は熱伝導率が高い粒状体となっているので、該吸熱部材を単に断熱性容器内に詰めるだけなので、製造が容易であり安価に得ることができ、また設置作業も容易に行うことができる。
【００１８】
請求項２に記載された発明に係る太陽熱収集装置によれば、前記断熱性筺体内に仕切板で仕切られて並設された複数の通路内に収容されている吸熱部材に、太陽光透過窓を透過した太陽光による太陽熱が吸収され蓄熱され、そして、空気入口から断熱性筺体に空気を送り込むことにより、送り込まれた空気が前記複数の通路内に入り、該各通路内の隅々にまで流れて各通路内に収容され前記太陽熱を吸収し蓄熱した吸熱部材と熱交換し、高温となった空気を空気出口から外部に取り出すことができる。このように、断熱性筺体に送り込まれた空気が断熱性筺体内に並設された複数の通路を通り、吸熱部材と万遍なく接触して熱交換することができるので、特に、断熱性筺体が大きい太陽熱収集装置に最適である。
【００１９】
請求項３に記載された発明に係る太陽熱収集装置によれば、前記断熱性筺体内に並設された、太陽光透過性素材で形成されている複数の筒状体内に収容されている吸熱部材に、太陽光透過窓を透過した太陽光による太陽熱が吸収され蓄熱され、そして、空気入口から断熱性筺体に空気を送り込むことにより、送り込まれた空気が前記複数の筒状体内に入り、該各筒状体内の隅々にまで流れて各筒状体内に収容され前記太陽熱を吸収し蓄熱した吸熱部材と熱交換し、高温となった空気を空気出口から外部に取り出すことができる。このように、断熱性筺体に送り込まれた空気が断熱性筺体内に並設された複数の筒状体を通り、吸熱部材と万遍なく接触して熱交換することができるので、特に、断熱性筺体が大きい太陽熱収集装置に最適である。
【００２０】
請求項４に記載の発明によれば、前記熱伝導率の高い可撓性を有する線状体或いは帯状体からなる吸熱部材が金属削り屑で構成されているので、このような線状体或いは帯状体を安価に入手することができることから、全体のコストダウンを図ることができ、また、廃物利用といった面からも有用である。
【００２１】
請求項５に記載の発明によれば、太陽光透過窓を透過して断熱性筺体に入射して吸熱部材の空隙を抜けた太陽光を断熱性筺体の内面に設けられた光反射層で反射させ、反射した太陽光を吸熱部材に投射させることができ、これにより太陽光による太陽熱を吸熱部材に極めて効率よく吸収させ蓄熱させることができる。
【発明を実施するための最良の形態】
【００２２】
図１、図２は本発明に係る太陽熱収集装置を実施するための最良の形態の第一例を示したもので、図１は本例の太陽熱収集装置の平面図、図２は図１のＡ−Ａ線断面図である。
【００２３】
図面において、１は本例の太陽熱収集装置、２は太陽熱収集装置１を構成する断熱性筺体である。この断熱性筺体２は気密性を有するように構成され、その上面には、太陽光透過性素材で形成された太陽光透過窓３が設けられている。
【００２４】
前記断熱性筺体２は、本例では、塩化ビニル等の合成樹脂製の外層２ａと、グラスウール、ロックウール等の断熱材からなる中間層２ｂと、アルミニウムシート等の反射板からなる内層２ｃで構成されているが、断熱性を有する限りこれに限定されない。
【００２５】
本例のように断熱性筺体２が、塩化ビニル等の合成樹脂製の外層２ａと、グラスウール、ロックウール等の断熱材からなる中間層２ｂと、アルミニウムシート等の反射板からなる内層２ｃとで構成されていると軽量化が図れ、取り扱いが容易となり、設置作業も容易に行うことができる。
【００２６】
また、アルミニウムシート等の反射板で内層２ｃを構成すると、太陽光透過窓３を透過して断熱性筺体２に入射し、後述する吸熱部材の空隙を抜けて内層２ｃに投射した太陽光が、内層２ｃにより反射して前記吸熱部材に投射し、これにより太陽光による太陽熱が吸熱部材に極めて効率よく吸収され蓄熱されることになる。
【００２７】
また、前記太陽光透過性素材で形成された太陽光透過窓３にあっては、本例では透明な合成樹脂で形成されているが、ガラスであってもよく、特に限定されるものではない。
【００２８】
前記断熱性筺体２には、その内部の一方から他方に空気を流通させる空気入口４と空気出口５が設けられており、空気入口４と空気出口５にはそれぞれ空気流通パイプ６が接続されている。
【００２９】
また、前記断熱性筺体２内には熱伝導率が高い可撓性を有する線状体或いは帯状体からなる吸熱部材７又は熱伝導率が高い粒状体からなる吸熱部材７が、空気の流通可能な空隙を有して収容されている。
【００３０】
前記熱伝導率が高い吸熱部材７の材料として、銅、アルミニウム、真鍮等が挙げられるがこれに限定されるものではない。本例では、吸熱部材７として、可撓性を有する線状体或いは帯状体が使用されている。この吸熱部材７となる可撓性を有する線状体或いは帯状体として、金属削り屑を用いることができる。
【００３１】
上記のように構成された太陽熱収集装置１は、前記断熱性筺体２内に収容された吸熱部材７が、熱伝導率が高い可撓性を有する線状体或いは帯状体又は熱伝導率が高い粒状体からなるので、熱伝導が早く、太陽光透過窓３を透過した太陽光による太陽熱が短時間で吸熱部材７全体に伝導され、そして、その表面積が大きいので、前記太陽熱が極めて効率よく吸収され蓄熱される。さらに、太陽光透過窓３を透過して断熱性筺体２に入射し、吸熱部材７の空隙を抜けて内層２ｃに投射した太陽光は、内層２ｃにより反射して吸熱部材７に投射することから、太陽光による太陽熱は吸熱部材７に極めて効率よく吸収され蓄熱される。
【００３２】
そして、断熱性筺体２に設けられている空気入口４から断熱性筺体２に空気を送り込むと、送り込まれた空気と前記太陽熱を極めて効率よく吸収し蓄熱した吸熱部材７が熱交換し、高温となった空気が断熱性筺体２に設けられている空気出口５から外部に送り出される。この送り込まれた空気と前記太陽熱を吸収し蓄熱した吸熱部材７との熱交換にあっては、前記のように吸熱部材７の表面積が大きいので、吸熱部材７の空隙を流通空気と極めて効率よく熱交換する。
【００３３】
また、製造にあっては、前記吸熱部材７は熱伝導率が高い可撓性を有する線状体或いは帯状体又は熱伝導率が高い粒状体となっているので、該吸熱部材７を単に断熱性筺体２内に詰めるだけなので、製造が容易であり安価に得ることができ、また設置作業も容易に行うことができる。
【００３４】
また、前記熱伝導率の高い可撓性を有する線状体或いは帯状体からなる吸熱部材７が金属削り屑で構成されていると、線状体或いは帯状体からなる吸熱部材７を安価に入手することができるので、コストダウンを図ることができ、また、廃物利用といった面からも有用である。
【００３５】
図３は本発明に係る太陽熱収集装置１の使用例を示すものであり、本例では、本発明に係る太陽熱収集装置１を建築物の暖房用に使用した例を示している。本例では複数の太陽熱収集装置１が配置され、それぞれが空気流通パイプ６で直列に接続されている。前記空気流通パイプ６は、該空気流通パイプ６を流れる空気が前記直列に接続された複数の太陽熱収集装置１内を通り、そして循環するように構成されている。
【００３６】
前記空気流通パイプ６の途中には、空気流通パイプ６内の空気を強制的に循環させる循環ポンプ８と暖房用熱交換器９が接続されている。前記複数の太陽熱収集装置１は太陽光を受けるのに好適な箇所に配置されている。また、前記暖房用熱交換器９は建築物（図示せず）の床或いは壁に配置されている。
【００３７】
そして、前記循環ポンプ８を駆動して空気流通パイプ６内の空気を強制的に循環させることにより、循環する空気が太陽熱収集装置１の断熱性筺体２内で太陽光を受け太陽熱を吸収し蓄熱した吸熱部材７と熱交換して高温となり、このようにして太陽熱収集装置１で加熱され高温となった空気が空気流通パイプ６を通って暖房用熱交換器９で室内の空気と熱交換して放熱し、ここで低温となった空気は再び太陽熱収集装置１に送り出され、ここで加熱されて高温となり、高温となった空気が暖房用熱交換器９で室内の空気と熱交換するようになっている。
【００３８】
本例では複数の太陽熱収集装置１が空気流通パイプ６で直列に接続されて配置されいるが、太陽熱収集装置１が単数であってもよい。本例のように複数の太陽熱収集装置１が直列に接続されて配置されていると、より高温の空気を取り出すことができる。
【００３９】
次に本発明に係る太陽熱収集装置を実施するための最良の形態の第二例について図４及び図５を参照して説明する。図４は本例の太陽熱収集装置の一部切欠平面図、図５は図４のＢ−Ｂ線断面図である。これらの図面において、上記第一例と同様の構成については同一の符号を付して説明を省略する。
【００４０】
図面において、１０は本例の太陽熱収集装置であり、この太陽熱収集装置１０を構成する断熱性筺体２に、断熱性筺体２の一方から他方に空気を流通させる前記空気入口４と空気出口５とが設けられている。前記空気入口４にあっては、本例では、断熱性筺体２の側壁部１１に、後述する通路の入口側開口部と直交する方向に開口している。
【００４１】
本例では、断熱性筺体２内に複数の仕切板１２が、前記側壁部１１と平行に設けられ、この仕切板１２で仕切られて前記空気入口４から空気出口５へ向けて複数の通路１３が並設されている。
【００４２】
前記仕切板１２はその前端部と前壁部１４との間に、前記空気入口４と連通する入口側空間部１６が形成され、また、後端部と断熱性筺体２の後壁部１５との間に、前記空気出口５と連通する出口側空間部１７が形成されている。そして、前記入口側空間部１６に前記仕切板１２で仕切られて形成された各通路１３の入口側開口部１３ａが開口し、出口側空間部１７に各通路１３の出口側開口部１３ｂが開口している。
【００４３】
そして、空気入口４から断熱性筺体２内に送り込まれた空気は、入口側空間部１６を通って入口側空間部１６に開口する各通路１３の入口側開口部１３ａから各通路１３内に流れ込み、出口側開口部１３ｂから出口側空間部１７に流れ出て、空気出口５から外部に送り出されるようになっている。
【００４４】
前記通路１３内には、前記吸熱部材７が空気の流通可能な空隙を有して収容されている。通路１３の入口側開口部１３ａと出口側開口部１３ｂは、通路１３内に収容されている吸熱部材７が入口側空間部１６、出口側空間部１７に出ないように網状体１８により塞がれている。
【００４５】
上記のように構成された太陽熱収集装置１０によれば、前記通路１３内に収容された吸熱部材７に、太陽光透過窓３を透過した太陽光による太陽熱が上記第一例と同様にして極めて効率よく吸収され蓄熱される。さらに、太陽光透過窓３を透過して断熱性筺体２に入射し、吸熱部材７の空隙を抜けて内層２ｃに投射した太陽光は、内層２ｃにより反射して吸熱部材７に投射することから、太陽光による太陽熱は吸熱部材７に極めて効率よく吸収され蓄熱される。
【００４６】
そして、断熱性筺体２に設けられている空気入口４から断熱性筺体２内に空気を送り込むと、送り込まれた空気が入口側空間部１６に入り、入口側空間部１６から通路１３内に流れ込み、該通路１３内の隅々にまで流れて通路１３内に収容され前記太陽熱を吸収し蓄熱した吸熱部材７と熱交換し、高温となった空気が出口側空間部１７に流れ出て、空気出口５から外部に送り出される。
【００４７】
本例では、前記空気入口４は断熱性筺体２の側壁部１１に、通路１３の入口側開口部１３ａと直交する方向に開口しているので、断熱性筺体２に設けられている空気入口４から断熱性筺体２内に送り込まれた空気は、入口側空間部１６全体を満たした状態から通路１３内に流れ込む様を呈し、各通路１３内に概ね均等に流れ込むことになる。これにより、各通路１３内に収容され前記太陽熱を吸収し蓄熱した吸熱部材７と確実に熱交換することになり、無駄が無く、より効率の良い熱交換が行え、より高温の空気を外部に取り出すことができる。
【００４８】
したがって、本例のように、断熱性筺体２内に、仕切板１２で仕切られて並設された複数の通路１３を持つ太陽熱収集装置１０は、特に、断熱性筺体２が大きいものである場合に最適である。
【００４９】
以上説明した本例の太陽熱収集装置１０も、上記第一例と同様にして使用することができ、使用例については第一例を援用してその説明を省略する。
【００５０】
次に本発明に係る太陽熱収集装置を実施するための最良の形態の第三例について図６〜図８を参照して説明する。図６は本例の太陽熱収集装置の一部切欠平面図、図７は図６のＣ−Ｃ線断面図、図８は図６のＤ−Ｄ線拡大断面図である。これらの図面において、上記第一例及び第二例と同様の構成については同一の符号を付して説明を省略する。
【００５１】
図面において、２０は本例の太陽熱収集装置であり、太陽熱収集装置２０を構成する断熱性筺体２に、断熱性筺体２の一方から他方に空気を流通させる前記空気入口４と空気出口５とが設けられている。前記空気入口４にあっては、本例にあっても、前記第二例と同様、断熱性筺体２の側壁部１１に、後述する筒状体の入口側の開口部と直交する方向に開口している。
【００５２】
本例では、断熱性筺体２内に、太陽光透過性素材で形成された筒状体２１が、両端の開口部２１ａ，２１ｂを前記空気入口４側と空気出口５側に開口するようにして複数並設されている。筒状体２１は、断熱性筐体２内に設けられた前側仕切壁２２と後側仕切壁２３によってその両端部が支持されている。
【００５３】
前記前側仕切壁２２は断熱性筺体２の前壁部１４側に、前壁部１４と所定の間隔を空けて設けられ、また、後側仕切壁２３は断熱性筺体２の後壁部１５側に、後壁部１５と所定の間隔を空けて設けられ、前記前側仕切壁２２と後側仕切壁２３により、断熱性筺体２内は、入口側空間部２４と出口側空間部２５と筒状体２１が設けられている部分の３つの空間に仕切られている。そして、入口側空間部２４と空気入口４が連通し、出口側空間部２５と空気出口５が連通している。
【００５４】
前記筒状体２１は、その両端部が前側仕切壁２２と後側仕切壁２３に設けられた貫通孔２６，２７に挿入されて支持されており、入口側の開口部２１ａが入口側空間部２４に開口し、出口側の開口部２１ｂが出口側空間部２５に開口している。前記筒状体２１は、断熱性筺体２の幅などに応じ、適当な本数で断熱性筺体２内に設けられる。
【００５５】
前記筒状体２１は、透明な合成樹脂やガラス等の太陽光透過性素材で形成されており、筒状体２１内には、前記吸熱部材７が空気の流通可能な空隙を有して収容されている。筒状体２１の入口側の開口部２１ａと出口側の開口部２１ｂは、筒状体２１内に収容されている吸熱部材７が入口側空間部２４、出口側空間部２５に出ないように網状体２８で塞がれている。
【００５６】
上記のように構成された太陽熱収集装置２０によれば、前記筒状体２１内に収容された吸熱部材７に、太陽光透過窓３を透過した太陽光による太陽熱が上記第一例と同様にして極めて効率よく吸収され蓄熱される。さらに、太陽光透過窓３を透過して断熱性筺体２に入射し、隣り合う筒状体２１の間の隙間や筒状体２１内の吸熱部材７の空隙を抜けて内層２ｃに投射した太陽光は、図８において矢印で示すように、内層２ｃにより反射して吸熱部材７に投射することから、太陽光による太陽熱は吸熱部材７に極めて効率よく吸収され蓄熱される。
【００５７】
そして、断熱性筺体２に設けられている空気入口４から断熱性筺体２内に空気を送り込むと、送り込まれた空気が入口側空間部２４に入り、入口側空間部２５から筒状体２１内に流れ込み、該筒状体２１内の隅々にまで流れて筒状体２１内に収容され前記太陽熱を吸収し蓄熱した吸熱部材７と熱交換し、高温となった空気が出口側空間部２５に流れ出て、空気出口５から外部に送り出される。
【００５８】
本例では、前記空気入口４は断熱性筺体２の側壁部１１に、筒状体２１の入口側の開口部２１ａと直交する方向に開口しているので、断熱性筺体２に設けられている空気入口４から断熱性筺体２内に送り込まれた空気は、入口側空間部２４全体を満たした状態から筒状体２１内に流れ込む様を呈し、各筒状体２１内に概ね均等に流れ込むことになる。これにより、各筒状体２１内に収容され前記太陽熱を吸収し蓄熱した吸熱部材７と確実に熱交換することになり、無駄が無く、より効率の良い熱交換が行え、より高温の空気を外部に取り出すことができる。
【００５９】
したがって、本例のように、断熱性筺体２内に並設された複数の筒状体２１を持つ太陽熱収集装置２０は、前記第二例と同様、特に、断熱性筺体２が大きいものである場合に最適である。
【００６０】
以上説明した本例の太陽熱収集装置２０も、上記第一例と同様にして使用することができ、使用例については第一例を援用してその説明を省略する。
【図面の簡単な説明】
【００６１】
【図１】本発明に係る太陽熱収集装置を実施するための最良の形態の第一例を示した平面図である。
【図２】図１のＡ−Ａ線断面図である。
【図３】本発明に係る太陽熱収集装置の使用の一例を示す説明図である。
【図４】本発明に係る太陽熱収集装置を実施するための最良の形態の第二例を示した一部切欠平面図である。
【図５】図４のＢ−Ｂ線断面図である。
【図６】本発明に係る太陽熱収集装置を実施するための最良の形態の第三例を示した一部切欠平面図である。
【図７】図６のＣ−Ｃ線断面図である。
【図８】図６のＤ−Ｄ線拡大断面図である。
【符号の説明】
【００６２】
１  太陽熱収集装置
２  断熱性筺体
２ａ  外層
２ｂ  中間層
２ｃ  内層
３  太陽光透過窓
４  空気入口
５  空気出口
６  空気流通パイプ
７  吸熱部材
８  循環ポンプ
９  暖房用熱交換器
１０  太陽熱収集装置
１１  側壁部
１２  仕切板
１３  通路
１３ａ  入口側開口部
１３ｂ  出口側開口部
１４  前壁部
１５  後壁部
１６  入口側空間部
１７  出口側空間部
１８  網状体
２０  太陽熱収集装置
２１  筒状体
２１ａ  入口側の開口部
２１ｂ  出口側の開口部
２２  前側仕切壁
２３  後側仕切壁
２４  入口側空間部
２５  出口側空間部
２６，２７  貫通孔
２８  網状体
【図１】
2006010297.tif 000003
【図２】
2006010297.tif 000004
【図３】
2006010297.tif 000005
【図４】
2006010297.tif 000006
【図５】
2006010297.tif 000007
【図６】
2006010297.tif 000008
【図７】
2006010297.tif 000009
【図８】
2006010297.tif 000010